(57)【要約】【課題】人件費を削減することができる自動通報機能を有するインテリジェント監視システム及びインテリジェント監視装置を提供する。【解決手段】本発明の自動通報機能を有するインテリジェント監視システム１００は、少なくとも１つのインテリジェント監視装置１０及び遠隔制御端２０を含む。インテリジェント監視装置１０は、検出装置１２、画像取得ユニット１１、組み込みシステム１３、光源ユニット１４、無停電電源１５及び無線伝送装置１６を含む。本発明のインテリジェント監視システム１００は、自動監視を行うことができると共に、ネットワークを介して携帯型電子装置３０に監視情報を伝送することにより、人件費を削減することができる。【選択図】図２
2013164774.tif 000002
【特許請求の範囲】
【請求項１】
少なくとも１つのインテリジェント監視装置及び遠隔制御端を備え、
前記少なくとも１つのインテリジェント監視装置は、
外部の画像を取り込み、画像信号を生成する画像取得ユニットと、
環境中の放射線量の変化を検出し、第１の信号を生成する検出装置と、
前記画像信号及び前記第１の信号を読み取り、監視判断及び演算を行った後、複数の出力信号及び複数の制御信号を生成する組み込みシステムと、
前記組み込みシステムと電気的に接続され、前記複数の制御信号に基づいて警告光線を放出する光源ユニットと、
前記組み込みシステムと電気的に接続される無停電電源と、
ランプを有し、前記組み込みシステムと電気信号接続され、前記複数の出力信号を伝送する無線伝送装置と、を有し、
前記遠隔制御端は、無線モジュールを有し、インターネットを介し、前記複数の出力信号を受信し、少なくとも１つの携帯型電子装置に前記複数の出力信号を伝送することを特徴とする自動通報機能を有するインテリジェント監視システム。
【請求項２】
前記組み込みシステムは、所定区域における画像状態の変化を識別する工程を実行し、警告出力信号を生成することを特徴とする請求項１に記載の自動通報機能を有するインテリジェント監視システム。
【請求項３】
前記インテリジェント監視装置は、ネットワーク接続ポートをさらに有し、前記ネットワーク接続ポートは、前記組み込みシステムと電気信号接続されることを特徴とする請求項１に記載の自動通報機能を有するインテリジェント監視システム。
【請求項４】
前記インテリジェント監視装置は、ネットワーク電源引出ユニットをさらに有し、前記ネットワーク電源引出ユニットの入力端は、前記ネットワーク接続ポートと電気的に接続され、前記インテリジェント監視装置に電力を出力して供給することを特徴とする請求項３に記載の自動通報機能を有するインテリジェント監視システム。
【請求項５】
前記インテリジェント監視装置は、フォトレジスタをさらに有し、前記フォトレジスタは、前記組み込みシステムと電気的に接続され、環境光を検出し、前記組み込みシステムに第２の信号を出力することにより、前記光源ユニットのオン／オフを制御することを特徴とする請求項１に記載の自動通報機能を有するインテリジェント監視システム。
【請求項６】
自動通報機能を有するインテリジェント監視システム中に応用され、
外部の画像を取り込み、画像信号を生成する画像取得ユニットと、
環境中の放射線量の変化を検出し、第１の信号を生成する検出装置と、
前記画像信号及び前記第１の信号を読み取り、監視判断及び演算を行った後、複数の出力信号及び複数の制御信号を生成する組み込みシステムと、
前記組み込みシステムと電気的に接続され、前記複数の制御信号に基づいて警告光線を放出する光源ユニットと、
前記組み込みシステムと電気的に接続される無停電電源と、
ランプを有し、前記組み込みシステムと電気信号接続され、前記複数の出力信号を伝送する無線伝送装置と、を備えることを特徴とするインテリジェント監視装置。
【請求項７】
前記組み込みシステムは、所定区域における画像状態の変化を識別する工程を実行し、警告出力信号を生成することを特徴とする請求項６に記載のインテリジェント監視装置。
【請求項８】
ネットワーク接続ポートをさらに有し、前記ネットワーク接続ポートは、前記組み込みシステムと電気信号接続されることを特徴とする請求項６に記載のインテリジェント監視装置。
【請求項９】
ネットワーク電源引出ユニットをさらに有し、前記ネットワーク電源引出ユニットの入力端は、前記ネットワーク接続ポートと電気的に接続され、前記インテリジェント監視装置に電力を出力して供給することを特徴とする請求項８に記載のインテリジェント監視装置。
【請求項１０】
フォトレジスタをさらに有し、前記フォトレジスタは、前記組み込みシステムと電気的に接続され、環境光を検出し、前記組み込みシステムに第２の信号を出力することにより、前記光源ユニットのオン／オフを制御することを特徴とする請求項６に記載のインテリジェント監視装置。
【発明の詳細な説明】
【技術分野】
【０００１】
本発明は、自動通報機能を有するインテリジェント監視システム及びインテリジェント監視装置に関し、特に、監視判断機能を有する自動通報機能を有するインテリジェント監視システム及びインテリジェント監視装置に関する。
【背景技術】
【０００２】
一般に、ビル及びコミュニティのセキュリティに使用される監視システムにおいては、ビル及びコミュニティ中の各区域に監視装置を設置する必要がある。また、雇用された警備員がこれらの監視装置から取得される画像を監視し、異常があるか否かが判断される。異常が発生した場合、警備員が現場に直接赴いて処理したり、警察に通報したり、住民に対応したりする。
【０００３】
従来の監視システムは、警備員への依存度が極めて高いため、人件費を削減するためには、１人の警備員が多くの区域を監視する必要があった。このため、警備員が過度の疲労状態となったり、集中できなくなったりし、重要な画像を見落とす状況が発生しやすかった。また、監視区域が多くなるほど、監視装置の費用及び監視を行うための人件費が増大するため、低コストの監視サービスやカスタマイズされた監視サービスを提供できなかった。  
このような監視システムの先行技術としては、例えば特許文献１，２に示されるようなカメラを用いたシステムがある。
【０００４】
本発明の発明者は、従来技術における、大量の監視区域を監視する場合、人件費が増大し、低コストのセキュリティサービスやカスタマイズされたセキュリティサービスを提供できない問題を解決するために、研究開発を行い、ついに、合理的且つ有効に上述の問題を解決できる本発明を案出した。
【先行技術文献】
【特許文献】
【０００５】
【特許文献１】特開平０９−１３０７８３号公報
【特許文献２】特開平０８−２５１５７３号公報
【発明の概要】
【発明が解決しようとする課題】
【０００６】
本発明の主な目的は、自動監視を行うことができる上、インターネットを通じて携帯型電子装置に監視情報を伝送することにより、人件費を削減することができる自動通報機能を有するインテリジェント監視システム及びインテリジェント監視装置を提供することにある。
【課題を解決するための手段】
【０００７】
上述の課題を解決するために、本発明は、自動通報機能を有するインテリジェント監視システムを提供するものである。本発明の自動通報機能を有するインテリジェント監視システムは、少なくとも１つのインテリジェント監視装置及び遠隔制御端を含む。インテリジェント監視装置は、外部の画像を取り込み、画像信号を生成する画像取得ユニットと、環境中の放射線量の変化を検出し、第１の信号を生成する検出装置と、画像信号及び第１の信号を読み取り、監視判断及び演算を行った後、複数の出力信号及び複数の制御信号を生成する組み込みシステムと、組み込みシステムと電気的に接続され、複数の制御信号に基づいて警告光線を放出する光源ユニットと、組み込みシステムと電気的に接続される無停電電源と、ランプを有し、組み込みシステムと電気信号接続され、複数の出力信号を伝送する無線伝送装置と、無線モジュールを含み、インターネットを介して複数の出力信号を受信し、少なくとも１つの携帯型電子装置に出力信号を伝送する遠隔制御端と、を含む。
【０００８】
上述の課題を解決するために、本発明は、インテリジェント監視装置を提供するものである。本発明のインテリジェント監視装置は、自動通報機能を有するインテリジェント監視システムに応用される。インテリジェント監視装置は、外部の画像を取り込み、画像信号を生成する画像取得ユニットと、環境中の放射線量の変化を検出し、第１の信号を生成する検出装置と、画像信号及び第１の信号を読み取り、監視判断及び演算を行った後、複数の出力信号及び複数の制御信号を生成する組み込みシステムと、組み込みシステムと電気的に接続され、複数の制御信号に基づいて警告光線を放出する光源ユニットと、組み込みシステムと電気的に接続される無停電電源と、ランプを有し、組み込みシステムと電気信号接続され、複数の出力信号を伝送する無線伝送装置と、を含む。
【発明の効果】
【０００９】
本発明を実施することにより、少なくとも以下（１）及び（２）に示す効果が実現される。
【００１０】
（１）監視画像に対して自動判断が行われるため、人件費を削減することができる。
【００１１】
（２）判断結果をユーザが設定した方式に基づいて携帯型電子装置に伝送することができるため、自動通報機能を実現することができる。
【図面の簡単な説明】
【００１２】
【図１】本発明の一実施形態による自動通報機能を有するインテリジェント監視システムのシステムアーキテクチャを示す図である。
【図２】本発明の一実施形態によるインテリジェント監視装置の回路を示すブロック図である。
【図３】本発明の一実施形態による自動通報機能を有するインテリジェント監視システムが所定区域における画像の状況変化を識別する工程を示す流れ図である。
【発明を実施するための形態】
【００１３】
当業者が本発明の明細書、特許請求の範囲及び図面の内容及び長所を容易に理解し、本発明を実施できるように、本発明の好適な実施形態を例示し、本発明の詳細な特徴及び長所を示す。
【００１４】
図１は、本発明の一実施形態による自動通報機能を有するインテリジェント監視システムのシステムアーキテクチャを示す図である。図２は、本発明の一実施形態によるインテリジェント監視装置の回路を示すブロック図である。図３は、本発明の一実施形態による自動通報機能を有するインテリジェント監視システムが所定区域における画像の状況変化を識別する工程を示す流れ図である。
【００１５】
図１を参照する。図１に示すように、本発明の一実施形態による自動通報機能を有するインテリジェント監視システム１００は、少なくとも１つのインテリジェント監視装置１０及び遠隔制御端２０を含む。インテリジェント監視装置１０は、監視区域の画像を取り込み、監視判断後、出力信号を生成し、遠隔制御端２０に出力する。遠隔制御端２０は、ユーザが設定した方式に基づき、インターネットを介し、携帯型装置３０に出力信号を自動的に伝送することにより、自動通報機能を実現する。インテリジェント監視装置１０の各部材の詳細な説明を以下に示す。
【００１６】
図２を参照する。図２に示すように、インテリジェント監視装置１０は、画像取得ユニット１１、検出装置１２、組み込みシステム１３、光源ユニット１４、無停電電源１５及び無線伝送装置１６を含む。
【００１７】
画像取得ユニット１１は、監視区域の画像を取り込み、画像信号を生成する。画像取得ユニット１１は、ＣＣＤでもよい。画像取得ユニット１１は、低出力待機モードを実行することにより、消費電力を節約することができると共に、通常モードを実行することにより、解析度の優れた画像を取り込むこともできる。
【００１８】
検出装置１２は、監視区域の環境中において、生命体が存在することによって発生する放射線量の変化を検出し、第１の信号を生成する。検出装置１２は、赤外線感熱センサでもよい。
【００１９】
組み込みシステム１３は、画像取得ユニット１１及び検出装置１２と電気信号接続され、画像取得ユニット１１が出力する画像信号と、検出装置１２が出力する第１の信号と、を読み取る。また、画像信号に対して監視判断及び演算を行うことによって出力信号を生成すると共に、第１の信号を処理することによって制御信号を生成する。
【００２０】
図３を参照する。組み込みシステム１３は、所定区域の画像に対して監視判断及び演算を実行する。所定区域とは、監視区域であり、例えば、画像状態の変化の識別工程を行った後、判断ロジックに基づき、警告出力信号を生成する。画像信号の変化の識別工程Ｓ１００は、Ｓ１０：画像信号を取得するステップと、Ｓ２０：第１の信号を受信するステップと、Ｓ３０：対象物を分析するステップと、Ｓ４０；異常画像を送信するステップと、を含む。
【００２１】
まず、組み込みシステム１３が画像取得ユニット１１から所定区域の画像を取得する上、画像信号に変換する（Ｓ１０）。検出装置１２が対象物を検出すると、第１の信号を伝送するため、組み込みシステム１３が第１の信号を受信した（Ｓ２０）場合、対象物が監視区域に進入したことを示す。この際、組み込みシステム１３によって対象物の分析が実行される（Ｓ３０）。組み込みシステム１３は、取得した画像信号に対し、画像識別処理を行うことにより、対象物の位置を確認する上、連続する画像中における対象物の位置変化に基づき、対象物の行為を分析し、異常行為があるか否かを確認する。例えば、画像の差異を利用した識別を実行し、まず、対象物が門の外部に位置することを識別し、その後、対象物が門の内部に位置することを識別した場合、対象物が侵入したと判断することができる。最後に、組み込みシステム１３がユーザ設定に基づき、異常画像を送信する（Ｓ４０）。例えば、対象物が侵入したと判断された場合、組み込みシステム１３が対象物が侵入する画像を含む出力信号を出力し、ユーザにリアルタイムに提供する。
【００２２】
画像状態の変化を識別する工程を実行する際、識別した対象物に如何なる変化もない場合、組み込みシステム１３は、画像取得ユニット１１を制御し、解析度の低い低出力待機モードによって画像を取り込む。識別された対象物に変化が生じた場合、組み込みシステム１３は、画像取得ユニット１１を制御し、解析度の高い通常モードによって画像を取り込む。これにより、最適な監視効果を実現することができる。
【００２３】
図２に示すように、光源ユニット１４は、組み込みシステム１３と電気的に接続され、組み込みシステム１３が出力した制御信号を受信し、制御信号に基づいて警告光線を放出して侵入者を威嚇する。
【００２４】
無停電電源１５は、組み込みシステム１３と電気的に接続され、組み込みシステム１３が必要とする電力を提供する。無停電電源１５により、インテリジェント監視装置１０は、固定電源が供給されない状況下においても、監視を実行することができる。
【００２５】
無線伝送装置１６は、組み込みシステム１３と電気信号接続され、組み込みシステム１３が監視判断及び演算を行った後に出力する出力信号を伝送する。無線伝送装置１６は、Ｗｉ−Ｆｉ（登録商標）無線伝送又は移動通信無線伝送によって出力信号を伝送する。また、無線伝送装置１６は、ランプ１６１を有する。ランプ１６１は、無線ネットワークへの接続状態を表示したり、出力信号の伝送状態を表示したりすることができる。ランプ１６１の変化により、ユーザは、接続状態又は伝送状態に問題があるか否かを知ることができる。
【００２６】
インテリジェント監視装置１０は、ネットワーク接続ポート１７を含むことができる。ネットワーク接続ポート１７は、組み込みシステム１３と電気信号接続され、インテリジェント監視装置１０に有線ネットワーク接続機能を提供する。これにより、組み込みシステム１３は、有線ネットワークを介して出力信号を伝送することができる。また、インテリジェント監視装置１０は、ネットワーク電源引出ユニット１８をさらに含むことができる。ネットワーク電源引出ユニット１８の入力端がネットワーク接続ポート１７と電気的に接続されることにより、インテリジェント監視装置１０に電力を供給することができると共に、無停電電源１５に蓄電電力を供給することができる。
【００２７】
インテリジェント監視装置１０は、フォトレジスタ１９をさらに含む。フォトレジスタ１９は、組み込みシステム１３と電気的に接続される。フォトレジスタ１９は、環境光を検出し、物体がインテリジェント監視装置１０に接近した際に発生する環境光の強弱変化を検出し、組み込みシステム１３に第２の信号を出力する。組み込みシステム１３は、対応する制御信号を生成し、光源ユニット１４のオン／オフを制御する。
【００２８】
図１及び図２を参照する。遠隔制御端２０は、無線モジュールを含む。無線モジュールは、インターネットを介し、無線伝送装置１６又はネットワーク接続ポート１７から伝送される出力信号を受信し、ユーザのカスタマイズされた所定値に基づき、少なくとも１つの携帯型電子装置３０に、出力信号を伝送する。これにより、ユーザは、携帯型電子装置３０上において画像を監視することができる。携帯型電子装置３０は、携帯電話、ノート型パソコン又はタブレット型パソコンである。
【００２９】
本発明の一実施形態におけるインテリジェント監視装置１０は、自動監視判断を直接行うことができる上、監視結果を遠隔制御端２０に伝送することができる。遠隔制御端２０は、ユーザが設定する各種モードに基づき、結果を複数の携帯型電子装置３０（例えば、警備員の携帯電話、警察署のコンピュータなど）に伝送する。これにより、セキュリティ効果を高めることができる。
【００３０】
上述の実施形態は、本発明の特徴を示すものであり、その目的は、当業者が本発明の内容を理解し、実施できるようにすることであり、本発明の特許請求の範囲を限定するものではない。従って、本発明の主旨を逸脱しない範囲における同等効果である修飾又は変更は、本発明の特許請求の範囲に含まれる。
【符号の説明】
【００３１】
１００  自動通報機能を有するインテリジェント監視システム
１０  インテリジェント監視装置
１１  画像取得ユニット
１２  検出装置
１３  組み込みシステム
１４  光源ユニット
１５  無停電電源
１６  無線伝送装置
１６１  ランプ
１７  ネットワーク接続ポート
１８  ネットワーク電源引出ユニット
１９  フォトレジスタ
２０  遠隔制御端
３０  携帯型電子装置
【図１】
2013164774.tif 000003
【図２】
2013164774.tif 000004
【図３】
2013164774.tif 000005